(57)【特許請求の範囲】
【請求項１】
全体が溝状に形成されたヘッダ本体(1)の両縁と、全体が溝状に形成されたヘッダプレート(2)の両縁とを互いに嵌着して、その嵌着部を接合してなる熱交換器のヘッダの製造方法において、
前記ヘッダ本体(1)の両縁部が他の部分よりも肉厚に形成されると共に、その肉厚部(3)の端面に凹陥した小溝(4)が形成され、その小溝(4)の内面側の内側壁(5)の厚みが外面側の外側壁(6)のそれよりも厚く形成されて、その厚い内側壁(5)が、外側壁(6)のカシメの際に変形防止の支持材を構成し且つ、外側壁(6)はその全長がヘッダプレート(2)の外周に対向すると共に、その長さが内側壁(5)の長さより長く形成され且つ、その厚みがその根元部(6a)より先端部(6b)が次第に薄く形成されて、その中間部より先が容易に変形可能に形成され、
前記ヘッダ本体(1)の外側壁(6)の先端部(6b)の内面に、ヘッダプレート(2)の外面の曲折部(2b)に整合するように内方に曲げられる変曲点(6d)を形成し、
前記ヘッダプレート(2)はその溝状の両側壁部(2a)の断面が拡開形成され、その先端部(2c)が内面側にその外面を変化させた前記曲折部(2b)を有し、
前記外側壁(6)の長さは、前記曲折部(2b)を充分超えて延長されると共に、その外壁部(6)の前記次第に薄く形成された先端部(6b)がその曲折部(2b)に対向し、
前記ヘッダプレート(2)の両側壁部(2a)の先端部(2c)の向きと、前記ヘッダ本体(1)の一対の前記小溝(4)の向きとが一致するように構成し、
前記ヘッダ本体(1)の前記小溝(4)に、前記ヘッダプレート(2)の両側壁部の先端部(2c)が嵌着される工程と、
前記ヘッダ本体(1)の外側壁(6)のみがヘッダプレート(2)の外面に沿って接するようにカシメられて、その内面(6c)がヘッダプレート(2)の外面に接触し、その先端部が前記変曲点(6d)から内側に曲がって、それが前記ヘッダプレート(2)の先端部(2c)の曲折部(2b)を超え、その外面を抜け止め抱持するようにされる工程と、
その状態で、ヘッダ本体(1)とヘッダプレート(2)との間をろう付けする工程と、を有する熱交換器のヘッダの製造方法。
【請求項２】
請求項１に記載の熱交換器のヘッダの製造方法において、
前記ヘッダプレート(2)はその溝底が平坦な面に形成され、その平坦面(2d)に直交するように、その両側壁部(2a)の先端部(2c)が形成され、
前記ヘッダ本体(1)は横断面円弧状に形成され、その円弧の直径線ｄに共に直交するように、一対の前記小溝(4)の内側壁(5)および外側壁(6)の内面が形成され、前記カシメの前の状態で、その内側壁(5)および外側壁(6)の先端部が拡開された熱交換器のヘッダの製造方法。
【請求項３】
請求項１又は請求項２のいずれかに記載の熱交換器のヘッダの製造方法において、
前記ヘッダプレート(2)の前記曲折部(2b)が弧状に形成され、その曲折部(2b)の先端側および曲折部(2b)に対して、その反対側は断面外周が直線に形成され、
その曲折部(2b)を前記ヘッダ本体(1)の外側壁(6)の先端が超え、前記反対側の直線部に達するように、前記カシメを行った熱交換器のヘッダの製造方法。
【発明の詳細な説明】
【技術分野】
【０００１】
本発明は、溝状に形成された一対のアルミニウム製材どうしを互いに嵌着し、筒状に形成し、その両端に一対の端蓋を配置して熱交換器用ヘッダを構成すると共に、一方の溝状材に多数のチューブ挿通孔を形成し、そこにチューブ端を嵌着し、全体を一体的にろう付け固定するものに関する。
【背景技術】
【０００２】
アルミニウム製材によるヘッダは、一例として図４に示す如く、形成されている。このヘッダは、ヘッダ本体１の両端部に段付き部９を形成し、その段付き部９にヘッダプレート２の両端部を嵌着する。なお、ヘッダプレート２には多数の挿通孔８を穿設しておき、そこに偏平チューブ７を挿通する。なお、各ヘッダ本体１、ヘッダプレート２の表面には予めろう材を被覆しておくか、或いは接合部にろう材を配置し、それを溶融する。なお、そのろう付け前に、ヘッダ本体１とヘッダプレート２との嵌着部は予め点溶接あるいはカシメを行い、両者が分離しないようにしておく。次いで、ヘッダ本体１、ヘッダプレート２の継目および偏平チューブ７とヘッダプレート２との嵌着部を、炉内でろう付け固定する。また、このヘッダの長手方向両端には図示しない端蓋が嵌着され、その嵌着部も同様にろう付け固定される。
【０００３】
さらに、下記特許文献１に記載の熱交換器用ヘッダは、タンク本体の両側壁の端面を溝状に形成し、そこにヘッダプレートの両側壁の端を嵌着し、そのタンク本体の溝状の外側の壁面をカシメて仮固定し、全体を高温の炉内でろう付けする提案がされている。
【先行技術文献】
【特許文献】
【０００４】
【特許文献１】特開平５−９９５８４号公報
【発明の概要】
【発明が解決しようとする課題】
【０００５】
図４に示す、一対のヘッダ本体１、ヘッダプレート２の嵌着部間を仮溶接してろう付けするヘッダは、工程数が多くなり量産性に欠ける欠点があった。
また、特許文献１のように、ヘッダ本体１の両端部を二股に形成し、そこにヘッダプレート２を嵌着し、その二股の外側をカシメて仮固定しているものは、本発明者の実験によれば、そのカシメの際にヘッダプレートおよびヘッダ本体に変形が生じ、ヘッダの耐圧性を低下させると共に、チューブ挿通孔とチューブとの嵌着部に、その変形の影響を与え、チューブの嵌着部のろう付け不良を起こすおそれがあった。
そこで、本発明はかかる問題点を解決することを課題とする。
【課題を解決するための手段】
【０００６】
請求項１に記載の発明は、全体が溝状に形成されたヘッダ本体(1)の両縁と、全体が溝状に形成されたヘッダプレート(2)の両縁とを互いに嵌着して、その嵌着部を接合してなる熱交換器のヘッダの製造方法において、
前記ヘッダ本体(1)の両縁部が他の部分よりも肉厚に形成されると共に、その肉厚部(3)の端面に凹陥した小溝(4)が形成され、その小溝(4)の内面側の内側壁(5)の厚みが外面側の外側壁(6)のそれよりも厚く形成されて、その厚い内側壁(5)が、外側壁(6)のカシメの際に変形防止の支持材を構成し且つ、外側壁(6)はその全長がヘッダプレート(2)の外周に対向すると共に、その長さが内側壁(5)の長さより長く形成され且つ、その厚みがその根元部(6a)より先端部(6b)が次第に薄く形成されて、その中間部より先が容易に変形可能に形成され、
前記ヘッダ本体(1)の外側壁(6)の先端部(6b)の内面に、ヘッダプレート(2)の外面の曲折部(2b)に整合するように内方に曲げられる変曲点(6d)を形成し、
前記ヘッダプレート(2)はその溝状の両側壁部(2a)の断面が拡開形成され、その先端部(2c)が内面側にその外面を変化させた前記曲折部(2b)を有し、
前記外側壁(6)の長さは、前記曲折部(2b)を充分超えて延長されると共に、その外壁部(6)の前記次第に薄く形成された先端部(6b)がその曲折部(2b)に対向し、
前記ヘッダプレート(2)の両側壁部(2a)の先端部(2c)の向きと、前記ヘッダ本体(1)の一対の前記小溝(4)の向きとが一致するように構成し、
前記ヘッダ本体(1)の前記小溝(4)に、前記ヘッダプレート(2)の両側壁部の先端部(2c)が嵌着される工程と、
前記ヘッダ本体(1)の外側壁(6)のみがヘッダプレート(2)の外面に沿って接するようにカシメられて、その内面(6c)がヘッダプレート(2)の外面に接触し、その先端部が前記変曲点(6d)から内側に曲がって、それが前記ヘッダプレート(2)の先端部(2c)の曲折部(2b)を超え、その外面を抜け止め抱持するようにされる工程と、
その状態で、ヘッダ本体(1)とヘッダプレート(2)との間をろう付けする工程と、を有する熱交換器のヘッダの製造方法である。
【０００８】
請求項２に記載の本発明は、請求項１に記載の熱交換器のヘッダの製造方法において、
前記ヘッダプレート(2)はその溝底が平坦な面に形成され、その平坦面(2d)に直交するように、その両側壁部(2a)の先端部(2c)が形成され、
前記ヘッダ本体(1)は横断面円弧状に形成され、その円弧の直径線ｄに共に直交するように、一対の前記小溝(4)の内側壁(5)および外側壁(6)の内面が形成され、前記カシメの前の状態で、その内側壁(5)および外側壁(6)の先端部が拡開された熱交換器のヘッダの製造方法である。
【０００９】
請求項３に記載の本発明は、請求項１又は請求項２のいずれかに記載の熱交換器のヘッダの製造方法において、
前記ヘッダプレート(2)の前記曲折部(2b)が弧状に形成され、その曲折部(2b)の先端側および曲折部(2b)に対して、その反対側は断面外周が直線に形成され、
その曲折部(2b)を前記ヘッダ本体(1)の外側壁(6)の先端が超え、前記反対側の直線部に達するように、前記カシメを行った熱交換器のヘッダの製造方法である。
【発明の効果】
【００１１】
本発明の熱交換器のヘッダの製造方法は、ヘッダ本体１の両端部に形成された小溝４に、ヘッダプレート２の先端部2cが嵌着された状態で、そのヘッダ本体１の外側壁６がヘッダプレート２側にカシメられて、それによってヘッダプレート２の先端部2cの曲折部2bを抜け止め抱持する。そして、その状態でろう付けされるから、ろう付け中にヘッダ本体１とヘッダプレート２との相対移動が生じることがなく、ろう付けの信頼性を向上できる。それと共に、カシメられるヘッダ本体１の外側壁６の厚みが、それに対向する内側壁５の厚みより薄く且つ、その先端部6bが次第に薄く形成されているから、そのカシメ時に、ヘッダが変形することを防止し、信頼性の高いろう付け構造を提供できる。
【００１２】
さらに、ヘッダプレート２の側壁部2aの先端部2cの向きとヘッダ本体１の一対の小溝４の向きとを一致させたので、両者の嵌着を容易に行ないうる。それにより、量産性の高い熱交換器のヘッダを提供できる。
さらに、外側壁６の長さを、曲折部２ｂを充分超えて延長されると共に、その外側壁６を次第に薄く形成し、その先端部６ｂがその曲折部２ｂに対向させたので、カシメが円滑に行われ、信頼性の高いヘッダとなる。
【００１３】
請求項２に記載のように、ヘッダプレート２の溝底を平坦に形成し、それに直行するように側壁部2aの先端部2cを形成すると共に、ヘッダ本体１の小溝４の内側壁５および外側壁６内面をヘッダ本体１の横断面円弧の直系線ｄに直行するようにした場合には、ヘッダ本体１の先端部とヘッダプレート２の先端部との嵌着をより正確に行ないうる。それと共に、耐圧性の高いヘッダを提供できる。
【００１４】
請求項３に記載のように、ヘッダプレート２の側壁の曲折部2bを弧状に形成し、その曲折部2bの先端側および反対側の断面外周を直線に形成し、ヘッダ本体１の外側壁６先端がその曲折部2bを超え、直線部に達するようにカシメた場合には、ヘッダ本体１とヘッダプレート２とのカシメ状態をより確実にし、ろう付け時に両者が相対移動することを確実に防止できる。
【図面の簡単な説明】
【００１６】
【図１】本発明の熱交換器のヘッダの組立ての第１工程を示す要部縦断面図。
【図２】図１のII部拡大図。
【図３】同ヘッダの第２工程のカシメ状態を示す要部縦断面図。
【図４】従来型ヘッダの要部縦断面図。
【発明を実施するための形態】
【００１７】
次に、図面に基づいて本発明の実施の形態につき説明する。
本発明のヘッダは、ヘッダ本体１とヘッダプレート２とその両端に嵌着される図示しない端蓋とからなる。
ヘッダ本体１は、横断面が半円以上の円弧状に形成され、その両端縁部に肉厚部３が形成されている。この肉厚部３は、それ以外のヘッダ本体１の肉厚よりも厚く形成されている。そして、その肉厚部３が横断面二股状に形成され、そこに小溝４を構成する。その小溝４は、その向きが直径線ｄに直交し、内側壁５と外側壁６とが対向する。
内側壁５はヘッダの内面側に位置し、外側壁６は外面側に位置する。そして、内側壁５の厚みを外側壁６のそれよりも厚くする。これは外側壁６をカシメる時、それを容易にカシメると共に、ヘッダ全体が内側に変形しないように、厚い内側壁５が変形防止の支持材を形成するものである。内側壁５は図２に示す如く、その内面5aが先端に向かって円弧状に拡がっており、それがヘッダプレート２の先端部2cを嵌着する際の、ガイドをなす。
外側壁６はその根元から先端に向かって次第に肉厚を薄くし、その先端部6bの先端内面6cに内方へわずかに曲がる変曲点6dを有する。
【００１８】
次に、ヘッダプレート２は全体が溝状または樋状に形成され、その溝底に平坦面2dを形成する。そして、その平坦面2dに多数の挿通孔８が穿設されている。なお、挿通孔８は平坦面2dを超えた側壁部2aまで形成してもよい。ヘッダプレート２はその横断面が台形状に形成され、その先端部2cが平坦面2dに直行して配置されている。先端部2cの外面は平坦に形成され、それに次いで円弧状の曲折部2bを介し、平坦な側壁部2aに連続する。そして、側壁部2aの根元部で湾曲し平坦面2dに連設される。
【００１９】
ヘッダ本体１の外側壁６の横断面長さは、ヘッダプレート２の断面の曲折部2bを超える長さとされる。これに対して内側壁５の横断面長さは、ヘッダプレート２の断面の先端部2c程度の長さとする。ヘッダプレート２の先端部2cの厚さは小溝４の幅よりも僅か小に形成されている。
この例では、少なくてもヘッダ本体１およびヘッダプレート２の外表面にろう材が被覆または載置されている。
【００２０】
次いで、図３の如く、ヘッダ本体１の溝４の外側壁６をヘッダプレート２の外表面側にカシメる。この時、外側壁６の全体はその先端に向かって次第に薄肉に形成されているため、その中間部から先端部が容易に変形し、その内面がヘッダプレート２外表面に密着する。この時、外側壁６の先端はヘッダプレート２の平坦面2dを超える。この例では、円弧状に形成された曲折部2bはｓからｍまである。
【００２１】
そして、図２において、外側壁６の内面6cに変曲点6dが形成されることにより、カシメの際、図３に示す如く、変曲点6dより先端がヘッダプレート２外面にわずかに食い込み、ヘッダ本体１がヘッダプレート２を抜け止め抱持する。そして、並列された多数の挿通孔８にそれぞれ偏平チューブ７を嵌着し、ヘッダの長手方向両端に図示しない端蓋を被着する。そして、全体を組立てた状態で、高温の炉内に挿入し、一体的にろう付け固定して、熱交換器を完成する。
【符号の説明】
【００２２】
１  ヘッダ本体
２  ヘッダプレート
2a  側壁部
2b  曲折部
2c  先端部
2d  平坦面
３  肉厚部
４  小溝
５  内側壁
5a  先端内面
【００２３】
６  外側壁
6a  根元部
6b  先端部
6c  先端内面
6d  変曲点
７  偏平チューブ
８  挿通孔
９  段付き部
【図１】
0005953002.tif 000002
【図２】
0005953002.tif 000003
【図３】
0005953002.tif 000004
【図４】
0005953002.tif 000005